(57)【要約】【課題】画像読取装置が、画像記録装置に対し装置前方に突出するように設けられている場合、装置全体として前後方向寸法が大きくなる。【解決手段】媒体に記録を行う記録部を備えた下部ユニットと、原稿の画像を読み取る読み取り手段を備えるとともに、前記下部ユニットの上部に設けられる上部ユニットとを有し、下部ユニットは、前記記録部により記録が行われて湾曲反転した媒体を装置後方に向けて排出する媒体排出手段と、媒体排出手段に対し装置後方に位置するとともに前記上部ユニットの下面と対向する位置に設けられ、前記媒体排出手段により排出される媒体を受ける媒体受け部とを備え、装置前後方向における上部ユニットの長さが下部ユニットの長さよりも短いとともに、上部ユニットが下部ユニットに対し装置前方寄りに設けられたことにより、前記媒体受け部の媒体排出方向端部が前記上部ユニットの後方に露呈することを特徴とする。【選択図】図１
2020044728.tif 000002
【特許請求の範囲】
【請求項１】
媒体に記録を行う記録部を備えた下部ユニットと、
原稿を載置する原稿台及び当該原稿台に載置された原稿の画像を読み取る読み取り手段を備えるとともに、前記下部ユニットの上部に設けられる上部ユニットと、を有し、
前記下部ユニットは、前記記録部により記録が行われて湾曲反転した媒体を装置後方に向けて排出する媒体排出手段と、
前記媒体排出手段に対し装置後方に位置するとともに前記上部ユニットの下面と対向する位置に設けられ、前記媒体排出手段により排出される媒体を受ける媒体受け部と、を備え、
装置前後方向における前記上部ユニットの長さが前記下部ユニットの長さよりも短いとともに、前記上部ユニットが前記下部ユニットに対し装置前方寄りに設けられたことにより、前記媒体受け部の媒体排出方向端部が前記上部ユニットの後方に露呈する、
ことを特徴とする記録装置。
【請求項２】
請求項１に記載の記録装置において、装置前面において前記上部ユニットの側面と前記下部ユニットの側面とが面一である、
ことを特徴とする記録装置。
【請求項３】
請求項１または請求項２に記載の記録装置において、装置前面には、鉛直方向において前記下部ユニットと前記上部ユニットとの間に、ユーザーによる操作を受け付ける操作部が設けられ、
鉛直方向において前記操作部と前記媒体受け部とがオーバーラップする部位を有する、
ことを特徴とする記録装置。
【請求項４】
請求項１から請求項３のいずれか一項に記載の記録装置において、前記上部ユニットの下面に、前記媒体排出手段により排出される媒体に対し媒体排出方向の剛性を付与する剛性付与部が設けられている、
ことを特徴とする記録装置。
【請求項５】
請求項４に記載の記録装置において、前記剛性付与部は、前記上部ユニットにおいて前記媒体受け部と対向配置されたリブであって、媒体排出方向に沿って延設されるとともに媒体排出方向と交差する方向である媒体幅方向に適宜の間隔を空けて設けられ、媒体排出方向から見て媒体に凸形状または凹形状を形成するリブで構成される、
ことを特徴とする記録装置。
【請求項６】
請求項１から請求項５のいずれか一項に記載の記録装置において、前記媒体受け部において媒体排出方向の下流に、前記媒体排出手段から排出される媒体の先端が当接するストッパーが設けられ、
前記ストッパーは、前記媒体受け部上に突出する突出姿勢と、前記突出姿勢よりも前記媒体受け部上に突出しない退避姿勢と、を取り得る、
ことを特徴とする記録装置。
【請求項７】
請求項１から請求項６のいずれか一項に記載の記録装置において、前記下部ユニットは、前記記録部により記録が行われた媒体の直近の記録面を内側にして湾曲反転させて前記媒体排出手段に導く第１媒体排出経路と、
前記記録部により記録が行われた媒体の直近の記録面を上にして、媒体を湾曲反転させずに媒体を排出する第２媒体排出経路と、
前記第１媒体排出経路を形成する第１状態と前記第２媒体排出経路を形成する第２状態とを切り換え可能な経路切り換え部材と、
装置の制御を行う制御手段と、を備え、
前記制御手段は、搬送される媒体の長さが、前記媒体受け部に排出した際に前記上部ユニットの下側に隠れる長さの場合には、前記第１媒体排出経路へ媒体を送らずに所定の処理を行う、
ことを特徴とする記録装置。
【請求項８】
請求項７に記載の記録装置において、前記経路切り換え部材を駆動する駆動手段を備え、
前記所定の処理は、前記経路切り換え部材が前記第１状態をとる場合に前記駆動手段を駆動して前記経路切り換え部材を前記第１状態から前記第２状態に切り換えるステップと、
媒体を前記第２媒体排出経路に送るステップと、を含む、
ことを特徴とする記録装置。
【請求項９】
請求項７または請求項８に記載の記録装置において、前記記録部の下側に位置する媒体収容部から送り出された媒体を湾曲させ、反転させて前記記録部に導く媒体給送経路を備え、
前記媒体給送経路と前記第１媒体排出経路とが、鉛直方向においてオーバーラップする部位を有する、
ことを特徴とする記録装置。
【発明の詳細な説明】
【技術分野】
【０００１】
本発明は、媒体に記録を行う記録装置に関する。
【背景技術】
【０００２】
プリンターとスキャナーとを一体化した所謂複合機は従来から知られており、例えば特許文献１にその一例が示されている。  
特許文献１記載の画像読取記録装置は、画像記録装置の上部に画像読取装置を備えている。画像読取装置は、画像記録装置に対し装置前方に突出するように設けられている。そして排出される記録紙を受ける記録紙排出台が画像記録装置の上部に設けられおり、上記のように画像読取装置が画像記録装置に対して配置されていることにより、画像読取装置が記録紙排出台の上部を覆うことなく開放された状態となっている。
【先行技術文献】
【特許文献】
【０００３】
【特許文献１】特開２０１０−００８５８６号公報
【発明の概要】
【発明が解決しようとする課題】
【０００４】
特許文献１記載の画像読取記録装置では、画像読取装置が画像記録装置に対し装置前方に突出するように設けられており、装置全体として前後方向寸法が大きくなってしまう。
【課題を解決するための手段】
【０００５】
上記課題を解決する為の、本発明の記録装置は、媒体に記録を行う記録部を備えた下部ユニットと、原稿を載置する原稿台及び当該原稿台に載置された原稿の画像を読み取る読み取り手段を備えるとともに、前記下部ユニットの上部に設けられる上部ユニットと、を有し、前記下部ユニットは、前記記録部により記録が行われて湾曲反転した媒体を装置後方に向けて排出する媒体排出手段と、前記媒体排出手段に対し装置後方に位置するとともに前記上部ユニットの下面と対向する位置に設けられ、前記媒体排出手段により排出される媒体を受ける媒体受け部と、を備え、装置前後方向における前記上部ユニットの長さが前記下部ユニットの長さよりも短いとともに、前記上部ユニットが前記下部ユニットに対し装置前方寄りに設けられたことにより、前記媒体受け部の媒体排出方向端部が前記上部ユニットの後方に露呈することを特徴とする。
【図面の簡単な説明】
【０００６】
【図１】プリンターの外観斜視図。
【図２】プリンターの外観斜視図。
【図３】プリンターの外観斜視図。
【図４】プリンターの外観斜視図。
【図５】プリンターの外観斜視図。
【図６】プリンターの外観斜視図。
【図７】プリンターの用紙搬送経路を示す側断面図。
【図８】プリンターの用紙搬送経路を示す側断面図。
【図９】プリンターの用紙搬送経路を示す側断面図。
【図１０】プリンターの用紙搬送経路を示す側断面図。
【図１１】上部ユニットに設けられるリブの正面図。
【図１２】プリンターの制御系統を示すブロック図。
【図１３】プリンターの制御部が行う制御の一例を示すフローチャート。
【発明を実施するための形態】
【０００７】
以下、本発明を概略的に説明する。  
本発明の第１の態様に係る記録装置は、媒体に記録を行う記録部を備えた下部ユニットと、原稿を載置する原稿台及び当該原稿台に載置された原稿の画像を読み取る読み取り手段を備えるとともに、前記下部ユニットの上部に設けられる上部ユニットと、を有し、前記下部ユニットは、前記記録部により記録が行われて湾曲反転した媒体を装置後方に向けて排出する媒体排出手段と、前記媒体排出手段に対し装置後方に位置するとともに前記上部ユニットの下面と対向する位置に設けられ、前記媒体排出手段により排出される媒体を受ける媒体受け部と、を備え、装置前後方向における前記上部ユニットの長さが前記下部ユニットの長さよりも短いとともに、前記上部ユニットが前記下部ユニットに対し装置前方寄りに設けられたことにより、前記媒体受け部の媒体排出方向端部が前記上部ユニットの後方に露呈することを特徴とする。
【０００８】
本態様によれば、下部ユニットと上部ユニットとを備えた記録装置において、前記下部ユニットは、前記上部ユニットの下面と対向する位置に、排出される媒体を受ける媒体受け部を備え、そして装置前後方向における前記上部ユニットの長さが前記下部ユニットの長さよりも短いとともに、前記上部ユニットが前記下部ユニットに対し装置前方寄りに設けられたことにより、前記媒体受け部の媒体排出方向端部が前記上部ユニットの後方に露呈するので、装置前後方向において上部ユニットが下部ユニットから突出せず、装置前後方向寸法を抑制することができるとともに、排出された媒体の取り出し性も確保することができる。
【０００９】
尚、「上部ユニットが下部ユニットに対し装置前方寄りに設けられる」とは、より具体的には装置前後方向における前記上部ユニットの中央位置が、前記下部ユニットの中央位置よりも装置前方に位置することを意味する。
【００１０】
本発明の第２の態様は、第１の態様において、装置前面において前記上部ユニットの側面と前記下部ユニットの側面とが面一であることを特徴とする。  
本態様によれば、装置前面において前記上部ユニットの側面と前記下部ユニットの側面とが面一であるので、平面視において前記上部ユニットが前記下部ユニットから突出せず、装置前後方向寸法をより一層抑制できる。
【００１１】
本発明の第３の態様は、第１のまたは第２の態様において、装置前面には、鉛直方向において前記下部ユニットと前記上部ユニットとの間に、ユーザーによる操作を受け付ける操作部が設けられ、鉛直方向において前記操作部と前記媒体受け部とがオーバーラップする部位を有することを特徴とする。
【００１２】
本態様によれば、装置前面には、鉛直方向において前記下部ユニットと前記上部ユニットとの間に、ユーザーによる操作を受け付ける操作部が設けられ、鉛直方向において前記操作部と前記媒体受け部とがオーバーラップする部位を有するので、装置の鉛直方向寸法を抑制できる。
【００１３】
本発明の第４の態様は、第１から第３の態様のいずれかにおいて、前記上部ユニットの下面に、前記媒体排出手段により排出される媒体に対し媒体排出方向の剛性を付与する剛性付与部が設けられていることを特徴とする。
【００１４】
本態様によれば、前記上部ユニットの下面に、前記媒体排出手段により排出される媒体に対し媒体排出方向の剛性を付与する剛性付与部が設けられているので、排出される媒体のカールを抑制することができ、前記媒体受け部上での媒体の整列性を高めることができる。
【００１５】
本発明の第５の態様は、第４の態様において、前記剛性付与部は、前記上部ユニットにおいて前記媒体受け部と対向配置されたリブであって、媒体排出方向に沿って延設されるとともに媒体排出方向と交差する方向である媒体幅方向に適宜の間隔を空けて設けられ、媒体排出方向から見て媒体に凸形状または凹形状を形成するリブで構成されることを特徴とする。  
本態様によれば、前記剛性付与部がリブで構成されるので、前記剛性付与部を構造簡単にして低コストに構成できる。
【００１６】
本発明の第６の態様は、第１から第５の態様のいずれかにおいて、前記媒体受け部において媒体排出方向の下流に、前記媒体排出手段から排出される媒体の先端が当接するストッパーが設けられ、前記ストッパーは、前記媒体受け部上に突出する突出姿勢と、前記突出姿勢よりも前記媒体受け部上に突出しない退避姿勢と、を取り得ることを特徴とする。
【００１７】
本態様によれば、前記媒体排出手段から排出される媒体の先端が当接するストッパーが、前記媒体受け部上に突出する突出姿勢と、前記突出姿勢よりも前記媒体受け部上に突出しない退避姿勢と、を取り得るので、前記ストッパーを前記退避姿勢にすることで媒体を前記媒体受け部から取り出す際に前記ストッパーが邪魔になり難く、媒体の取り出し性が向上する。
【００１８】
本発明の第７の態様は、第１から第６の態様のいずれかにおいて、前記下部ユニットは、前記記録部により記録が行われた媒体の直近の記録面を内側にして湾曲反転させて前記媒体排出手段に導く第１媒体排出経路と、前記記録部により記録が行われた媒体の直近の記録面を上にして、媒体を湾曲反転させずに媒体を排出する第２媒体排出経路と、前記第１媒体排出経路を形成する第１状態と前記第２媒体排出経路を形成する第２状態とを切り換え可能な経路切り換え部材と、装置の制御を行う制御手段と、を備え、前記制御手段は、搬送される媒体の長さが、前記媒体受け部に排出した際に前記上部ユニットの下側に隠れる長さの場合には、前記第１媒体排出経路へ媒体を送らずに所定の処理を行うことを特徴とする。
【００１９】
本態様によれば、装置の制御を行う制御手段は、搬送される媒体の長さが、前記媒体受け部に排出した際に前記上部ユニットの下側に隠れる長さの場合には、前記第１媒体排出経路へ媒体を送らずに所定の処理を行うので、搬送される媒体の長さが短く、前記媒体受け部からの取り出しに際して前記上部ユニットが邪魔になる様な場合には、前記媒体受け部への媒体の排出を行わないことで媒体の取り出し性の低下を回避できる。
【００２０】
本発明の第８の態様は、第７の態様において、前記経路切り換え部材を駆動する駆動手段を備え、前記所定の処理は、前記経路切り換え部材が前記第１状態をとる場合に前駆駆動手段を駆動して前記経路切り換え部材を前記第１状態から前記第２状態に切り換えるステップと、媒体を前記第２媒体排出経路に送るステップと、を含むことを特徴とする。
【００２１】
本態様によれば、前記所定の処理は、前記経路切り換え部材が前記第１状態をとる場合に前駆駆動手段を駆動して前記経路切り換え部材を前記第１状態から前記第２状態に切り換えるステップと、媒体を前記第２媒体排出経路に送るステップと、を含むので、ユーザー操作によらず媒体が適切な経路を経て排出されることとなり、ユーザーの利便性が向上する。
【００２２】
本発明の第９の態様は、第７のまたは第８の態様において、前記記録部の下側に位置する媒体収容部から送り出された媒体を湾曲させ、反転させて前記記録部に導く媒体給送経路を備え、前記媒体給送経路と前記第１媒体排出経路とが、鉛直方向においてオーバーラップする部位を有することを特徴とする。
【００２３】
本態様によれば、前記媒体給送経路と、前記第１媒体排出経路とを備えた構成において、前記媒体給送経路と前記第１媒体排出経路とが、鉛直方向においてオーバーラップする部位を有するので、装置の鉛直方向寸法を抑制できる。
【００２４】
以下、本発明を具体的に説明する。  
以下では、本発明に係る記録装置の一例として、インクジェットプリンター１（以下、単にプリンター１と称する）を例に挙げるが、媒体の一例である用紙に記録を行う方式はインクジェット方式に限られず、電子写真方式、ドットインパクト方式等、種々のものを採用可能である。  
またインクジェット方式では、キャリッジにインクカートリッジを搭載するタイプ、キャリッジ外にインク収容部を設けて当該インク収容部とキャリッジとをインクチューブで接続するタイプ等、種々の形態があり、本発明はいずれの形態にも適用可能である。尚、本実施形態に係るプリンター１は、キャリッジ外にインク収容部を設けて当該インク収容部とキャリッジとをインクチューブで接続するタイプである。
【００２５】
尚、各図において示すＸ−Ｙ−Ｚ座標系はＸ方向が装置幅方向及び用紙幅方向であり、Ｙ方向が用紙に記録を行う際の用紙搬送方向及び装置前後方向（奥行き方向）であり、Ｚ方向が装置高さ方向及び鉛直方向を示している。尚、＋Ｙ方向が装置背面から装置前面に向かう方向であり、−Ｙ方向が装置前面から装置背面に向かう方向となる。  
尚、装置前面とは、装置において使用者であるユーザーと正対する面であり、装置の側面のうちいずれの側面が装置前面となるかは、装置構成や外観のデザインをもとに定まるものである。一例として、各種操作ボタンや表示部を備えて構成され、ユーザーによる操作を受け付ける操作部が設けられている場合、当該操作部が設けられている側が、多くの場合ユーザーと正対する側となる。  
また、以下では、用紙が搬送されていく方向を「下流」と称し、その反対を「上流」と称する。
【００２６】
図１においてプリンター１は、用紙に記録を行う下部ユニット２と、画像読取装置の一例であるスキャナーとして構成された上部ユニット３と、を備えている。即ち、プリンター１は所謂複合機である。
【００２７】
上部ユニット３には、装置前後方向において前面寄りに、操作部６が設けられている。操作部６は本実施形態ではチルトパネルの形態をとり、複数の操作ボタン及び表示部を備えている。操作部６は、プリンター１における記録動作及び画像読取動作を操作する為のユーザーインタフェースとして構成されている。  
操作部６は上部ユニット３に対して回動可能に設けられており、即ちチルト可能となっていて、不図示のトルクヒンジにより、ユーザーにとって操作し易い姿勢で保持できる様に設けられている。
【００２８】
下部ユニット２の前面には、第１カバー２６と第２カバー２７とが設けられている。第２カバー２７を開くことで、後述するフェイスダウン排出経路（第１用紙排出経路Ｒ３：図７）でジャムが生じた場合のジャム処理を行うことができる。  
また、第１カバー２６を開き、且つ経路切り換え部材としての経路切換フラップ２５（図７）を開くことで、後述するフェイスアップ排出を実行可能となる。  
第１カバー２６は、回動軸２６ａ（図７）を中心に回動することで開閉する。第２カバー２７は、第１カバー２６と一体となって、回動軸２６ａ（図７）を中心に回動することで開閉する。図３は、第１カバー２６と第２カバー２７とが一体となって回動し、開いた状態を示している。  
第１カバー２６と第２カバー２７とが一体となって回動し、開いた場合、第１カバー２６及び第２カバー２７は、後述するフェイスアップ排出経路としての第２用紙排出経路Ｒ４（図８）を介して排出される用紙を受ける用紙受け部として機能する。
【００２９】
上部ユニット３にはカバー３ｄが設けられており、不図示の回動軸を中心に回動することで、原稿台３ｂ（図７）を開閉する。原稿台３ｂの下側には、原稿を読み取る読み取り手段としての読取部３ａ（図７）が設けられている。上部ユニット３はフラットベッド型のスキャナーであり、読取部３ａがＸ方向に移動することで、原稿台３ｂに載置された原稿の読み取りが行われる。
【００３０】
上部ユニット３は下部ユニット２に設けられた支持部４を介して下部ユニット２に対して連結されている。支持部４は下部ユニット２の左右に設けられている（図１、図４）。  
上部ユニット３は支持部４に設けられた不図示のトルクヒンジを介して回動可能に連結されており、回動することにより、下部ユニット２に対して閉じた姿勢（図１）と開いた姿勢（図２）とを取り得る。上部ユニット３を下部ユニット２に対して開くことで、後述する媒体受け部としての用紙受け部３２が露呈する。  
また、上部ユニット３を下部ユニット２に対して開くことで、カバー５の開閉が可能となる。カバー５は、不図示のインクタンクのインク注入口を開閉するカバーである。
【００３１】
続いて図７乃至図１１を参照して、プリンター１において用紙が通る経路について説明する。  
図７乃至図１１においては、用紙が通る経路を破線または一点鎖線で示している。具体的には、図７において符号Ｒ１は用紙給送経路を示している。用紙給送経路Ｒ１は、本実施形態では用紙収容部８から送りローラー対１２に至る経路である。  
また、符号Ｒ３は第１用紙排出経路を示している。第１用紙排出経路Ｒ３は、本実施形態では第２中間ローラー対１８から排出ローラー対２９に至る経路である。  
また図９において符号Ｒ５は用紙給送経路を示している。用紙給送経路Ｒ５は、本実施形態では装置後方の給送口６０から差し入れられた用紙が、給送ローラー６１を経て送りローラー対１２に至る経路である。  
また図９において符号Ｒ７はスイッチバック経路を示している。スイッチバック経路Ｒ７は、送りローラー対１２から従動ローラー１１ｄを経て従動ローラー１１ａに至る経路であり、用紙の両面に記録を行うために用紙を反転させる際に利用される経路で或る。
【００３２】
以下、更に詳説する。下部ユニット２の底部には、複数枚の用紙を収容可能な用紙収容部８が設けられている。用紙収容部８に収容された用紙は、不図示のモーターにより駆動されるピックアップローラー９により下流に送り出される。図７において符号Ｐｈは、用紙収容部８に収容された用紙の一例を示している。  
ピックアップローラー９の下流には、不図示のモーターにより駆動される反転ローラー１０が設けられ、用紙収容部８から送り出された用紙は、反転ローラー１０により湾曲反転させられて、不図示のモーターにより駆動される下流の送りローラー対１２に向けて送られる。
【００３３】
尚、反転ローラー１０の周囲には、従動ローラー１１ａ、１１ｂ、１１ｃ、１１ｄ、が設けられており、これら従動ローラーによって用紙が反転ローラー１０に対して押し付けられる。  
尚、従動ローラー１１ａ、１１ｂ、１１ｃ、のこれらは用紙給送経路Ｒ１に設けられており、従動ローラー１１ｄは、スイッチバック経路Ｒ７（図９）に設けられている。
【００３４】
送りローラー対１２の下流には、用紙を支持する用紙支持部１６と、用紙に液体の一例であるインクを吐出して記録を実行する記録部の一例である記録ヘッド１５とが対向配置されている。記録ヘッド１５はキャリッジ１４に設けられ、キャリッジ１４は不図示のモーターにより用紙幅方向に往復駆動される。
【００３５】
記録ヘッド１５の下流には、第１中間ローラー対１７が設けられ、第１中間ローラー対１７の下流には、第２中間ローラー対１８が設けられている。記録の行われた用紙は、第１中間ローラー対１７及び第２中間ローラー対１８によって下流に送られる。
【００３６】
第２中間ローラー対１８の下流には、経路切換フラップ２５が設けられている。経路切換フラップ２５は、不図示の揺動軸を中心に揺動可能に設けられている。この経路切換フラップ２５は、本実施形態ではユーザー操作により揺動させる構成である。  
ここでプリンター１は、用紙排出経路として二つの経路を選択可能であり、一つは記録の行われた用紙の直近の記録面を下にして排出するフェイスダウン排出経路としての第１用紙排出経路Ｒ３であり、もう一つは記録の行われた用紙の直近の記録面を上にして排出するフェイスアップ排出経路としての第２用紙排出経路Ｒ４（図８）である。
【００３７】
フェイスダウン排出経路である第１用紙排出経路Ｒ３を利用する場合、経路切換フラップ２５は、図７で示す様な第１状態としての斜め傾斜姿勢で保持される。フェイスアップ排出経路である第２用紙排出経路Ｒ４を利用する場合、経路切換フラップ２５は、図８で示すような第２状態としての水平姿勢で保持される。  
経路切換フラップ２５の斜め傾斜姿勢での保持は、本実施形態では不図示のスナップフィット機構により成される。経路切換フラップ２５の水平姿勢での保持は、本実施形態では不図示の支持部で経路切換フラップ２５を支持することにより成される。
【００３８】
用紙を湾曲反転させる第１用紙排出経路Ｒ３の終了位置には、用紙排出手段としての排出ローラー対２９が設けられている。排出ローラー対２９は、不図示のモーターにより駆動される排出駆動ローラー２９ａと、従動回転する排出従動ローラー２９ｂとを備えて構成されている。  
排出ローラー対２９によって符号ｆで示す用紙排出方向に排出された用紙は、媒体受け部としての用紙受け部３２に積載される。用紙受け部３２の上面が、排出された用紙を受ける用紙受け面となる。
【００３９】
用紙受け部３２は、本実施形態では上流から下流に向かって第１排紙トレイ３４、第２排紙トレイ３５、のこれらを備えて構成される。第１排紙トレイ３４、第２排紙トレイ３５、のそれぞれの上面が、用紙受け面を構成する。図７において符号Ｐｆは、載置される用紙の一例を示している。  
第１排紙トレイ３４は、不図示の回動軸を中心に回動することで開閉可能となっており、開くことでキャリッジ１４及びその周囲へのアクセスが可能となっている。
【００４０】
用紙受け部３２の下流側には、排出される用紙の先端が当接することで用紙先端位置を規制するストッパー３７が設けられている。このストッパー３７により、排出される用紙の、用紙受け部３２からの飛び出しが規制される。  
このストッパー３７は、ベース部３８と、突出部４０とを備えて構成され、突出部４０は、不図示のトルクヒンジを介してベース部３８に設けられ、回動可能であるとともに所定の姿勢を保持できるように構成されている。  
即ち突出部４０は、用紙受け部３２上に突出する突出姿勢（図４）と、この突出姿勢よりも用紙受け部３２上に突出しない退避姿勢（図５）と、を取り得る。本実施形態において退避姿勢（図５）は、ベース部３８とほぼ平行な姿勢である。ベース部３８は、第２排紙トレイ３５とほぼ平行な姿勢である。  
この様な構成により、突出部４０を退避姿勢にすることで用紙を用紙受け部３２から取り出す際に突出部４０が邪魔になり難く、用紙の取り出し性が向上する。
【００４１】
図７に戻り、排出ローラー対２９の下流直近には、押さえフラップ２８が設けられている。押さえフラップ２８は揺動軸２８ａを中心に揺動可能に設けられており、用紙幅方向において用紙の両側に位置している。押さえフラップ２８は排出される用紙を上から押さえることにより用紙排出方向に沿った山部を用紙に形成し、これにより用紙排出方向における用紙の剛性を向上さて、カバー４上における用紙の整列性を向上させる。即ち押さえフラップ２８は、排出される用紙に対し用紙排出方向の剛性を付与する剛性付与部を構成する。
【００４２】
以上がプリンター１の大略構成であり、以下、下部ユニット２、上部ユニット３、用紙受け部３２、のこれらの関係について説明する。  
本実施形態では、下部ユニット２に設けられた、排出される用紙を受ける用紙受け部３２は、図７から明かな様に上部ユニット３の底面３ｆと対向する位置に設けられている。そして装置前後方向における上部ユニット３の長さＢ１が、下部ユニット２の長さＡ１よりも短いとともに、上部ユニット３が下部ユニット２に対し装置前方寄りに設けられたことにより、用紙受け部３２の用紙排出方向の端部３５ａが上部ユニット３の後方に露呈している。
【００４３】
これにより、装置前後方向において上部ユニット３が下部ユニット２から突出せず、装置前後方向寸法を抑制することができるとともに、図４に示す様に上部ユニット３の後方に用紙受け部３２の用紙排出方向の端部３５ａが露呈するので、排出された用紙の取り出し性も確保することができる。
【００４４】
尚、「上部ユニット３が下部ユニット２に対し装置前方寄りに設けられた」とは、より具体的には装置前後方向における上部ユニット３の中央位置（図７において位置Ｙ２）が、下部ユニット２の中央位置（図７において位置Ｙ１）よりも装置前方に位置することを意味する。
【００４５】
尚、用紙サイズが小さく、排出された用紙が上部ユニット３の下側に完全に隠れてしまう様な場合には、図２を参照しつつ説明したように上部ユニット３を下部ユニット２に対して開けば、用紙受け部３２が露呈し、排出された用紙を取り出すことができる。また、その状態から更に第２排紙トレイ３５を開けば、キャリッジ１４及びその周囲へのアクセスが可能となる。
【００４６】
また本実施形態では、図１及び図７から明かな様に、装置前面において上部ユニット３の側面３ｅと下部ユニット２の側面とが面一である。装置前面において下部ユニット２の側面は、本実施形態では第１カバー２６及び第２カバー２７で構成される。  
これにより、上述した様に平面視において上部ユニット３が下部ユニット２から突出せず、装置前後方向寸法をより一層抑制できる。  
尚、本実施形態では上部ユニット３の側面３ｅ及び下部ユニット２の前面に加え、閉じた状態の操作部６の前面も面一となる構成である。
【００４７】
また本実施形態では、鉛直方向において下部ユニット２と上部ユニット３との間に、ユーザーによる操作を受け付ける操作部６が設けられ、鉛直方向において操作部６と用紙受け部３２の第２排紙トレイ３５とがオーバーラップする部位を有している。本実施形態においてこのオーバーラップする部位は、図７において符号Ｈ２で示す範囲である。これにより、装置の鉛直方向寸法を抑制できる。  
尚、本実施形態では操作部６は、装置左右方向の長さが下部ユニット２及び上部ユニット３の長さより短く、これにより装置正面から用紙受け部３２の状態を視認し易くなっているが、下部ユニット２及び上部ユニット３と同じ長さで構成されていても良い。
【００４８】
また本実施形態では、下部ユニット２は、記録ヘッド１５の下側に位置する用紙収容部８から送り出された用紙を湾曲させ、反転させて記録ヘッド１５に導く用紙給送経路Ｒ１と、記録が行われた用紙の直近の記録面を内側にして湾曲させ、反転させて排出ローラー対２９に導く第１用紙排出経路Ｒ３と、を備え、用紙給送経路Ｒ１と第１用紙排出経路Ｒ３とが、鉛直方向においてオーバーラップする部位を有する。本実施形態においてこのオーバーラップする部位は、図７において符号Ｈ１で示す範囲である。この様な構成により、装置の鉛直方向寸法を抑制できる。
【００４９】
以上説明した実施形態では、排出される用紙に剛性を付与する剛性付与部が、押さえフラップ２８により構成されたが、図１０及び図１１に示す様なリブ４９で構成することもできる。図１０において符号１Ｂは、リブ４９を備えるプリンターを示している。  
リブ４９は、上部ユニット３において用紙受け部３２と対向配置されたリブであって、用紙排出方向に沿って延設されるとともに用紙排出方向と交差する方向である用紙幅方向に適宜の間隔を空けて設けられ、用紙排出方向から見て図１１で示す様に用紙Ｐｇに凸形状を形成するリブで構成される。
【００５０】
リブ４９は、鉛直下方向への突出量が異なる複数のリブ（４９ａ、４９ｂ、４９ｃ、４９ｄ、４９ｅ、４９ｆ）で構成される。用紙幅方向では、最も端部のリブ４９ａから、中央のリブ４９ｆに向かうに従って、鉛直下方向への突出量が少なくなる。  
排出ローラー対２９による用紙排出方向ｆはリブ４９に突き当たる方向であり、これにより排出ローラー対２９により排出される用紙Ｐｇはリブ４９に押し付けられ、これにより図１１に示す様な凸形状が形成され、用紙排出方向の剛性が付与される。この凸形状は、図７を参照しつつ説明した押さえフラップ２８によって用紙に形成する凸形状と同様である。  
この様に剛性付与部がリブ４９で構成されるので、剛性付与部を構造簡単にして低コストに構成できる。  
尚、本実施形態では用紙Ｐｇに形成される湾曲形状は凸形状であるが、その逆の凹形状であっても良い。この場合、上記実施形態とは逆に、用紙幅方向において最も端部のリブ４９ａから、中央のリブ４９ｆに向かうに従って、鉛直下方向への突出量が多くなるように形成する。
【００５１】
また上記実施形態では、上部ユニット３の後方に、図４及び図５に示す様に給送口６０が開口する構成であるが、図６に示すプリンター１Ｃの様に、給送口６０を備えない構成とすることもできる。この様に構成することで、排出された用紙のスタック性を向上させることができる。尚、符号３６は、図４及び図５に示したストッパー３７に代えて設けられた凸部であり、この凸部３６により、排出される用紙の、用紙受け部３２からの飛び出しが抑制される。
【００５２】
ところで上記実施形態では、フェイスダウン排出経路としての第１用紙排出経路Ｒ３と、フェイスアップ排出経路としての第２用紙排出経路Ｒ４とを切り替える経路切換フラップ２５は、ユーザーにより操作される構成であるが、ソレノイドやモーター等の動力を用い、自動で揺動させる様に構成しても良い。  
図１５はその様な構成におけるプリンター１の制御系統のブロック図である。装置の各種制御を行う制御部４５は、操作部６及び用紙検出センサー群４７からの入力情報に基づき、読取部３ａ、記録ヘッド１５、用紙搬送用モーター群４６、ソレノイド４８、のこれらを制御する。  
用紙検出センサー群４７は、用紙搬送経路上に設けられた、用紙の先端或いは後端の通過を検出するセンサーであり、複数のセンサーで構成される。この複数のセンサーは、例えば図７において第１中間ローラー対１７の上流近傍、従動ローラー１１ａの上流近傍などに設けられる。用紙搬送用モーター群４６は、ピックアップローラー９及び反転ローラー１０を駆動する給送用モーター（不図示）や、送りローラー対１２、第１中間ローラー対１７、第２中間ローラー対１８、排出ローラー対２９、のこれらローラーを駆動する搬送用モーター（不図示）で構成される。  
ソレノイド４８は、経路切換フラップ２５の姿勢切り替えを行う為の動力源である。
【００５３】
経路切換フラップ２５の姿勢を制御部４５により制御する構成では、例えば操作部６を介してユーザーが所望する用紙排出経路を選択できる。  
また、用紙排出経路選択が自動選択される制御モードを有していても良い。この様な制御モードでは、制御部４５は、搬送される用紙の長さが、用紙受け部３２に排出した際に上部ユニット３の下側に隠れる長さの場合には、フェイスダウン排出経路としての第１用紙排出経路Ｒ３に用紙を送らずに、所定の処理を行う。
【００５４】
図１３はこの様な所定の処理の一例を示したものであり、制御部４５は、記録データを受信すると（ステップＳ１０１）、ドライバ情報に含まれる用紙サイズ情報をもとにして用紙長さが所定以下であるか否かを判断する（ステップＳ１０２）。用紙長さが所定以下のサイズの用紙とは、上述した通り用紙受け部３２に排出した際に上部ユニット３の下側に隠れる様な用紙である。  
次に、用紙長さが所定以下のサイズの用紙の場合、フェイスアップ排出経路としての第２用紙排出経路Ｒ４に用紙を送る（ステップＳ１０３）。それ以外の場合、即ち用紙受け部３２に排出した際に上部ユニット３の下側から飛び出す様なサイズの用紙の場合、フェイスダウン排出経路としての第１用紙排出経路Ｒ３に用紙を送る（ステップＳ１０４）。そして、用紙への記録（ステップＳ１０５）を行い、次いで記録の行われた用紙を排出する（ステップＳ１０６）。
【００５５】
上記の例において、用紙受け部３２に排出した際に上部ユニット３の下側に隠れる長さの用紙の場合に行う所定の処理とは、ステップＳ１０３、Ｓ１０６に示した処理である。即ち、経路切換フラップ２５が第１状態（図７）とる場合にソレノイド４８を駆動して経路切換フラップ２５を第１状態（図７）から第２状態（図８）に切り換えるステップと、用紙をフェイスアップ排出経路としての第２用紙排出経路Ｒ４に送るステップと、を含む処理である。
【００５６】
この様に、用紙受け部３２に排出した際に上部ユニット３の下側に隠れる長さの用紙の場合には、フェイスダウン排出経路としての第１用紙排出経路Ｒ３へ用紙を送らずに所定の処理を行うので、搬送される用紙の長さ短く、用紙受け部３２からの取り出しに際して上部ユニット３が邪魔になる様な場合には、用紙受け部３２への用紙の排出を行わないことで用紙の取り出し性の低下を回避できる。  
また、ユーザー操作によらず用紙が適切な経路を経て排出されることとなり、ユーザーの利便性が向上する。
【００５７】
尚、用紙排出経路選択が自動選択の状態ではなく、ユーザー操作により第１用紙排出経路Ｒ３が積極的に選択されている状態において、長さが所定以下である用紙に記録を行う際には、制御部４５は、経路切換フラップ２５を第１状態（図７）から第２状態（図８）に切り換えて用紙の排出を行う前に、アラートを表示した上で記録動作を中断し、ユーザーに排出経路を切り換えるか記録動作を中止するかを選択させるようにしても良い。
【００５８】
上記実施形態において上部ユニット３は、Ｘ方向に沿って延びるとともに装置後方に設けられた不図示のトルクヒンジ即ち回動軸を中心に回動することで、装置後方に向けて開く構成であるが、Ｘ方向に沿って延びるとともに装置前方に設けられた回動軸を中心に回動することで、装置前方に向けて開く構成でも構わない。また或いは、上部ユニット４は、Ｙ方向に沿って延びるとともに装置右寄りに設けられた回動軸を中心に回動することで、右方向に向けて開く構成でも良いし、Ｙ方向に沿って延びるとともに装置左寄りに設けられた回動軸を中心に回動することで、左方向に向けて開く構成でも良い。また或いは、上部ユニット４は、例えばリニアガイドによって装置前方或いは装置後方にスライドすることで用紙受け部３２の上部を開放する構成でも良いし、装置右方向或いは左方向にスライドすることで用紙受け部３２の上部を開放する構成でも良い。
【００５９】
更に本発明は上記において説明した実施形態に限定されることなく、特許請求の範囲に記載した発明の範囲内で、種々の変形が可能であり、それらも本発明の範囲内に含まれるものであることは言うまでもない。
【符号の説明】
【００６０】
１…インクジェットプリンター、２…下部ユニット、２ａ…開口部、３…上部ユニット、３ａ…読取部、３ｂ…原稿台、３ｄ…カバー、３ｅ…側面、３ｆ…底面、４…支持部、５…カバー、６…操作部、８…用紙収容部、９…ピックアップローラー、１０…反転ローラー、１１ａ、１１ｂ、１１ｃ、１１ｄ…従動ローラー、１２…送りローラー対、１４…キャリッジ、１５…記録ヘッド、１６…用紙支持部、１７…第１中間ローラー対、１８…第２中間ローラー対、２５…経路切換フラップ、２６…第１カバー、２７…第２カバー、２８…押さえフラップ、２８ａ…揺動軸、２９…排出ローラー対、３２…用紙受け部、３４…第１排紙トレイ、３５…第２排紙トレイ、３７…ストッパー、３８…ベース部、４０…突起部、４１…先端規制面、４５…制御部、４６…用紙搬送用モーター群、４７…用紙検出用センサー群、４９、４９ａ、４９ｂ、４９ｃ…リブ、５９…開閉カバー、６０…給送口、６１…給送ローラー、６２…分離ローラー、６３、６４…用紙支持部
【図１】
2020044728.tif 000003
【図２】
2020044728.tif 000004
【図３】
2020044728.tif 000005
【図４】
2020044728.tif 000006
【図５】
2020044728.tif 000007
【図６】
2020044728.tif 000008
【図７】
2020044728.tif 000009
【図８】
2020044728.tif 000010
【図９】
2020044728.tif 000011
【図１０】
2020044728.tif 000012
【図１１】
2020044728.tif 000013
【図１２】
2020044728.tif 000014
【図１３】
2020044728.tif 000015